(57)【特許請求の範囲】
【請求項１】
走行車両であるトラクタ（５０）の後部に、施肥機・播種機用の作業機装着ビーム（２）を横設し、該作業機装着ビーム（２）に、高さ及び角度を調節可能とする複数のヒッチユニット（６１）を介してツールバー（２１）を装着し、該ツールバー（２１）に更に多数の播種機などの作業機を取り付けを取付ける構成において、該ヒッチユニット（６１）を作業機装着ビーム（２）に対して、任意位置に一箇所以上固定可能とし、該ヒッチユニット（６１）は連結ヒッチ（６０）を作業機装着ビーム（２）に取り付ける構成とし、該連結ヒッチ（６０）は、作業機装着ビーム（２）に後方から嵌合すべく側面視コ字状に折り曲げた嵌合体（１８）と、該嵌合体（１８）の後部に固設した側面視コ字状の被嵌合体（１３）と、作業機装着ビーム（２）に嵌合した嵌合体（１８）を固定する固定ネジ（６）と固定板（５）により構成し、該嵌合体（１８）の上下面より前方に、固定ネジ（６・６）を突設し、該固定ネジ（６・６）に嵌合できるように、固定板（５）の上下にネジ孔（５ａ・５ａ）を開口し、前記嵌合体（１８）を後方より作業機装着ビーム（２）に嵌合して、前方より固定板（５）のネジ孔（５ａ・５ａ）を固定ネジ（６・６）に挿入して、嵌合体（１８）を作業機装着ビーム（２）に締め付けて固定し、前記被嵌合体（１３）には、後方より側面視コ字状の取付部（１）を嵌合し、該被嵌合体（１３）の上面及び下面にピン孔（１３ａ・１３ａ）をそれぞれ左右一対開口し、該取付部（１）には上面と下面の左右にそれぞれピン孔（１ａ・１ａ）を開口し、被嵌合体（１３）のピン孔（１３ａ・１３ａ）と位置を合わせてピン（３・３）を挿入し固定すべく構成したことを特徴とするヒッチ。
【発明の詳細な説明】
【０００１】
【発明の属する技術分野】
本発明は、トラクタ等の走行車両の後部に、播種機等の作業機を装着するための構成に関する。
【０００２】
【従来の技術】
従来から、トラクタ等の走行車両の後部の作業機装着ビームに、高さ及び角度を調節するための、ヒッチユニットを介してツールバーを取り付け、該ツールバーに播種機等の作業機を装着する技術は公知となっている。
【０００３】
【発明が解決しようとする課題】
しかし、従来のように、一つのヒッチユニットを介して作業機を装着する構成であると、角度調整や高さ調整等は容易に行なえるのであるが、大型のトラクタに播種機や施肥機や薬剤散布機等を装着する場合、小型のトラクタに比べて播種条数を多くすることができ、多くの播種機や施肥機等を装着でき、薬剤散布機等も大型の散布機を装着するので、重量が増加し、一つのヒッチユニットではその重量に耐えることができず破損することがあった。そこで、ヒッチユニットを複数個設けて、複数箇所で作業機を支えることが考えられるが、従来のヒッチユニットは、トラクタ後部の作業機装着ビームの中央に取り付けるように構成されている。つまり、作業機装着ビームの左右中央には規格により取付孔が穿設されており、この取付孔にピンを挿入して位置決めと位置固定ができるようにしていたので、それ以外の位置には取付孔がないため、ヒッチユニットを取り付けることができなかったのである。そこで、本発明は、取り付け用の孔が穿設される中央部以外に取り付けることのできる安価で簡単な構成のヒッチユニットを提供しようとする。
【０００４】
【課題を解決するための手段】
本発明の解決しようとする課題は以上の如くであり、次にこの課題を解決するための手段を説明する。
【０００５】
請求項１においては、走行車両であるトラクタ（５０）の後部に、施肥機・播種機用の作業機装着ビーム（２）を横設し、該作業機装着ビーム（２）に、高さ及び角度を調節可能とする複数のヒッチユニット（６１）を介してツールバー（２１）を装着し、該ツールバー（２１）に更に多数の播種機などの作業機を取り付けを取付ける構成において、該ヒッチユニット（６１）を作業機装着ビーム（２）に対して、任意位置に一箇所以上固定可能とし、該ヒッチユニット（６１）は連結ヒッチ（６０）を作業機装着ビーム（２）に取り付ける構成とし、該連結ヒッチ（６０）は、作業機装着ビーム（２）に後方から嵌合すべく側面視コ字状に折り曲げた嵌合体（１８）と、該嵌合体（１８）の後部に固設した側面視コ字状の被嵌合体（１３）と、作業機装着ビーム（２）に嵌合した嵌合体（１８）を固定する固定ネジ（６）と固定板（５）により構成し、該嵌合体（１８）の上下面より前方に、固定ネジ（６・６）を突設し、該固定ネジ（６・６）に嵌合できるように、固定板（５）の上下にネジ孔（５ａ・５ａ）を開口し、前記嵌合体（１８）を後方より作業機装着ビーム（２）に嵌合して、前方より固定板（５）のネジ孔（５ａ・５ａ）を固定ネジ（６・６）に挿入して、嵌合体（１８）を作業機装着ビーム（２）に締め付けて固定し、前記被嵌合体（１３）には、後方より側面視コ字状の取付部（１）を嵌合し、該被嵌合体（１３）の上面及び下面にピン孔（１３ａ・１３ａ）をそれぞれ左右一対開口し、該取付部（１）には上面と下面の左右にそれぞれピン孔（１ａ・１ａ）を開口し、被嵌合体（１３）のピン孔（１３ａ・１３ａ）と位置を合わせてピン（３・３）を挿入し固定すべく構成したものである。
【０００６】
【発明の実施の形態】
次に、発明の実施の形態を説明する。
【０００７】
図１はトラクタの全体側面図、図２は播種機のトラクタへの装着部を示す部分側面図、図３はヒッチユニットを作業機装着ビームへ取り付けるための部品を示す斜視図である。図４は播種機のトラクタへの装着部を示す部分斜視図、図５はヒッチユニットと連結ヒッチと作業機装着ビームを分解した状態の側面図、図６は別実施形態のヒッチユニットと作業機装着ビームを分解した状態の側面図である。
【０００８】
まず、本発明の連結ヒッチ６０を装備したロータリ耕耘装置の後部に、作業機として播種機を装着した、走行車両となるトラクタ５０の構成について、図１を用いて説明する。トラクタ５０は、前部に前輪３２、後部に後輪３３を支承して、エンジンフレーム３８上のボンネット３４内にエンジン３５を収納し、該エンジン３５の後面にクラッチハウジングが固設されている。該クラッチハウジングの後面に、ミッションケース４２が延設されて、全体としてトラクタ５０の機体支持部材を構成しているのである。該ボンネット３４の後部にはダッシュボード４０を連設し、該ダッシュボード４０上にステアリングハンドル３６を配置している。ミッションケース４２上には油圧シリンダケース４１が載置され、該油圧シリンダケース４１上方に運転席３７が配置されている。該運転席３７の側部に主変速レバーやポジションレバーや、ドラフトレバー等が配設されている。
【０００９】
トラクタ後方にはＰＴＯ軸２７が延設されており、このＰＴＯ軸２７よりロータリ耕耘装置２８の入力軸に動力が入力されると、耕耘爪２９を植設した耕耘爪軸３０が回動するよう構成されている。そして該ロータリ耕耘装置２８のギヤケース側部から機体後方に向けて尾輪縦ビーム３９が突設され、該尾輪縦ビーム３９の後端に、施肥機・播種機等の作業機を取り付けるための作業機装着ビーム２が横設される。
【００１０】
以下に播種機の取り付け構成について説明する。
前記作業機装着ビーム２には、高さ及び角度を調節可能とするヒッチユニット６１を介してツールバー２１を取り付け、該ツールバー２１に播種機などの作業機を取り付けられる。そして、図４に示すように条数が多い場合には、作業機装着ビーム２に本発明の複数（本実施例では二つ）の連結ヒッチ６０を取り付けて、該連結ヒッチ６０に同数のヒッチユニット６１を介してツールバー２１に取り付けるのである。
【００１１】
まず、ヒッチユニット６１の構成から説明する。図２、図４、図５に示すように、前下部に側面視コの字状の取付部１を配置し、該取付部１の上面と下面の左右にそれぞれピン孔１ａ・１ａが開口されて、ピン３・３を挿入して固定できるようにしている。取付部１の縦面の内側には当接板６５が配設され、作業機装着ビーム２または後述する連結ヒッチ６０を嵌合してピン３を挿入して両者を連結し、前記当接板６５の後面よりボルト２２を締め付けることにより作業機装着ビーム２または連結ヒッチ６０を固定できるようにしている。
【００１２】
前記取付部１上面には、支持プレート７・７が立設され、該支持プレート７・７下後部にはピン８にて調節ヒッチプレート９・９の前下部を枢支し、該調節ヒッチプレート９・９の上部と前記支持プレート７・７の上部はそれぞれピン１１・１２にて枢支し、該ピン１１に角度調節ハンドル１０のネジ部１０ａを枢支し、ピン１２にネジ部１０ａを螺挿し、該角度調節ハンドル１０を回動することにより、調節ヒッチプレート９・９がピン８を中心に回動し、播種機等の作業機の接地角度を調節できるようにしているのである。
【００１３】
前記調節ヒッチプレート９・９の後端両側にはガイド杆１４・１４が垂設され、調節ヒッチプレート９・９の後部間にはネジ杆１５が回動自在に枢支され、該ネジ杆１５の上端には高さ調節ハンドル１６が設けられ、下端はバー取付体１７に対して螺装されている。該バー取付体１７の前両側にはパイプ１９・１９が上下方向に左右平行に固設され、該パイプ１９・１９に前記ガイド杆１４・１４を挿入して、前記高さ調節ハンドル１６を回動することによりバー取付体１７がパイプ１９・１９にガイドされて昇降でき、該バー取付体１７の後部に装着された播種機等の作業機を昇降できるようにしている。２０はロックボルトである。
【００１４】
前記バーの取付体１７後端部には、ツールバー２１を挿入するための嵌合部が設けられ、ツールバー２１をセットした後、取付金具を合わせてボルトにて固定できるようにしている。該ツールバー２１には所望の条数の播種機６２等の作業機が装着されるものであり、該ツールバー２１に作業機の嵌合体２３が挿入され、フックネジ２４にて左右位置調節可能に固定される。
【００１５】
次に、本発明の連結ヒッチ６０について図２〜図５より説明する。連結ヒッチ６０は嵌合体１８と被嵌合体１３と固定ネジ６と固定板５よりなり、嵌合体１８と被嵌合体１３はプレートを側面視コ字状に折り曲げられて、被嵌合体１３の上下高さＬ及び前後長さは作業機装着ビーム２と略同じとし、嵌合体１８は作業機装着ビーム２を嵌合できるように一回り大きく構成している。つまり、内側の高さを作業機装着ビーム２と同じ長さＬとしている。
【００１６】
また、被嵌合体１３の上面及び下面にピン孔１３ａ・１３ａがそれぞれ左右一対開口されている。該ピン孔１３ａ・１３ａは作業機装着ビーム２の左右中央に開口したピン孔２ａ・２ａと左右間隔及び孔径を一致させて開口している。嵌合体１８の上面上側及び下面下側より前方にそれぞれ固定ネジ６・６が突設され、この上下の固定ネジ６・６に嵌合できるように、固定板５の上下にネジ孔５ａ・５ａが固定ネジ６・６の位置に合わせて開口されている。
【００１７】
このような構成において、従来ではヒッチユニット６１の取付部１を後ろ側から作業機装着ビーム２の左右中央に嵌合して、取付部１のピン孔と作業機装着ビーム２のピン孔２ａ・２ａの位置を合わせて、ピン３・３により連結してボルト６を締め付けることにより固定していたのであるが、播種機等の作業機を多く装着すると重量も増加して、一つのヒッチユニット６１では支えきれない状態が生じていた。
【００１８】
そこで、複数のヒッチユニットを介して作業機装着ビーム２に取り付けて剛性をアップできるように、また、作業機装着ビーム２に開口したピン孔２ａ・２ａに関係ない位置でも固定できるように、また、新たにピン孔を開口する必要がなく取り付けられるように、二つの連結ヒッチ６０を用いて装着する場合には、まず、連結ヒッチ６０の嵌合体１８を後方より作業機装着ビーム２に嵌合して、前方より固定板５・５のネジ孔５ａ・５ａを固定ネジ６・６に挿入して、ワッシャ２５・２５を介してナット２６・２６を螺装して締め付けて固定する。
【００１９】
そして、被嵌合体１３に後方よりヒッチユニット６１の取付部１を嵌合し、被嵌合体１３と取付部１の各ピン孔の位置を合わせてピン３・３を挿入して連結し、ボルト６を締め付けて固定するのである。このように、本発明の連結ヒッチ６０を追加するのみで、作業機装着ビーム２の中央部分以外にもヒッチユニットを取り付けることができ、従来よりも多くの作業機を作業機装着ビーム２に取り付けることができるのである。
【００２０】
また、ロータリ耕耘装置の耕耘カバーを回動可能として後方へ回動した場合やリヤカバーに補助リヤカバーを装着した場合等、播種装置前端の播種ディスクとリヤカバーが干渉するおそれがある場合には、この連結ヒッチ６０を取り付けて、ヒッチユニット６１を作業機装着ビーム２の中央部または任意位置に取り付けて、播種機の取り付け位置を長さＤ分だけ、または更に後方に連結して後方に位置して装着することができる。
【００２１】
次に、ヒッチユニット６１を作業機装着ビーム２の中央部以外に取り付け可能にする、別実施形態を図６を用いて説明する。この別実施形態においては、作業機装着ビーム２を嵌合するヒッチユニット１６１の取付部１０１において、上面の上側及び下面の下側より前方にそれぞれ固定ネジ６・６が突設され、この上下の固定ネジ６・６に前方より嵌合して作業機装着ビーム２に固定する固定板５を用意し、該固定板５の上下にはネジ孔５ａ・５ａが固定ネジ６・６の位置に合わせて開口されている。
【００２２】
ヒッチユニット１６１を中央部に固定する時には、取付部１０１を後ろ側から作業機装着ビーム２の左右中央に嵌合して、取付部１のピン孔と作業機装着ビーム２のピン孔２ａ・２ａの位置を合わせて、ピン３・３により連結してボルト６を締め付けることにより固定するのである。
【００２３】
そしてヒッチユニット６１を中央部以外に固定する時は、取付部１０１を後方より作業機装着ビーム２に嵌合して、前方より固定板５・５のネジ孔５ａ・５ａを固定ネジ６・６に挿入して、ワッシャ２５・２５を介してナット２６・２６を螺装して締め付けて固定する。
【００２４】
【発明の効果】
本発明は、以上のように構成したので、以下に示すような効果を奏する。
【００２５】
請求項１に示す如く、走行車両であるトラクタ（５０）の後部に、施肥機・播種機用の作業機装着ビーム（２）を横設し、該作業機装着ビーム（２）に、高さ及び角度を調節可能とする複数のヒッチユニット（６１）を介してツールバー（２１）を装着し、該ツールバー（２１）に更に多数の播種機などの作業機を取り付けを取付ける構成において、該ヒッチユニット（６１）を作業機装着ビーム（２）に対して、任意位置に一箇所以上固定可能とし、該ヒッチユニット（６１）は連結ヒッチ（６０）を作業機装着ビーム（２）に取り付ける構成とし、該連結ヒッチ（６０）は、作業機装着ビーム（２）に後方から嵌合すべく側面視コ字状に折り曲げた嵌合体（１８）と、該嵌合体（１８）の後部に固設した側面視コ字状の被嵌合体（１３）と、作業機装着ビーム（２）に嵌合した嵌合体（１８）を固定する固定ネジ（６）と固定板（５）により構成し、該嵌合体（１８）の上下面より前方に、固定ネジ（６・６）を突設し、該固定ネジ（６・６）に嵌合できるように、固定板（５）の上下にネジ孔（５ａ・５ａ）を開口し、前記嵌合体（１８）を後方より作業機装着ビーム（２）に嵌合して、前方より固定板（５）のネジ孔（５ａ・５ａ）を固定ネジ（６・６）に挿入して、嵌合体（１８）を作業機装着ビーム（２）に締め付けて固定し、前記被嵌合体（１３）には、後方より側面視コ字状の取付部（１）を嵌合し、該被嵌合体（１３）の上面及び下面にピン孔（１３ａ・１３ａ）をそれぞれ左右一対開口し、該取付部（１）には上面と下面の左右にそれぞれピン孔（１ａ・１ａ）を開口し、被嵌合体（１３）のピン孔（１３ａ・１３ａ）と位置を合わせてピン（３・３）を挿入し固定すべく構成したので、従来のヒッチユニットに簡単な構造で構成した部材を足すのみで、ヒッチユニットを作業機装着ビームの中央部以外にも取り付けることができる。
そして、該連結部材は簡単な構造に構成できるので、安価に製造でき、作業機装着ビームの中央部以外にも容易に確実に固定することができる。
また、この連結部材を使用することで、播種機の取り付け位置を後方に位置することができ、播種のディスクとロータリーカバーが干渉しなくなる。
このように、本発明の連結ヒッチ６０を追加するのみで、作業機装着ビーム２の中央部分以外にもヒッチユニットを取り付けることができ、従来よりも多くの作業機を作業機装着ビーム２に取り付けることができるのである。
また、ロータリ耕耘装置の耕耘カバーを回動可能として後方へ回動した場合やリヤカバーに補助リヤカバーを装着した場合等、播種装置前端の播種ディスクとリヤカバーが干渉するおそれがある場合には、この連結ヒッチ６０を取り付けて、ヒッチユニット６１を作業機装着ビーム２の中央部または任意位置に取り付けて、播種機の取り付け位置を長さＤ分だけ、または更に後方に連結して後方に位置して装着することができる。
【図面の簡単な説明】
【図１】  トラクタの全体側面図。
【図２】  播種機のトラクタへの装着部を示す部分側面図。
【図３】  ヒッチユニットを作業機装着ビームへ取り付けるための部品を示す斜視図。
【図４】  播種機のトラクタへの装着部を示す部分斜視図。
【図５】  ヒッチユニットと連結ヒッチと作業機装着ビームを分解した状態の側面図。
【図６】  別実施形態のヒッチユニットと作業機装着ビームを分解した状態の側面図。
【符号の説明】
１  取付部
２  作業機装着ビーム
３  ピン
５  固定板
６  固定ネジ
１３  被嵌合体
１８  嵌合体
２１  ツールバー
５０  トラクタ
６０  連結ヒッチ
６１  ヒッチユニット
【図１】
0004065938.tif 000002
【図２】
0004065938.tif 000003
【図３】
0004065938.tif 000004
【図４】
0004065938.tif 000005
【図５】
0004065938.tif 000006
【図６】
0004065938.tif 000007